(57)【特許請求の範囲】
【請求項１】
一層の中空筒状のパイル織物、又は外層と内層の端部が連続した二層の中空筒状のパイル織物からなるリストバンドにおいて、内周面の周方向に関する半分領域の全部又は一部に、ＰＶＡ（polyvinyl alcohol）スポンジ、ＰＶＣ（polyvinyl chloride）スポンジ又はオレフィン系スポンジからなる合成樹脂シートを被着すると共に、前記合成樹脂シートの被着領域に対応する外周面の略中央領域にパイルの色彩が他の領域と異なる位置指標を設けたことを特徴とするリストバンド。
【請求項２】
外層と内層の端部が連続した二層の中空筒状のパイル織物からなるリストバンドにおいて、内周面の周方向に関する半分領域の全部又は一部に、ＰＶＡスポンジ、ＰＶＣスポンジ又はオレフィン系スポンジからなる合成樹脂シートを被着すると共に、筒軸から見て前記合成樹脂シートの被着領域を見込む中心角の範囲内に含まれる前記端部の一部分に前記二層間へ通じる孔が形成されていることを特徴とするリストバンド。
【請求項３】
筒軸から見て前記合成樹脂シートの被着領域を見込む中心角の範囲内に含まれているパイル織物部分と他のパイル織物部分とを区分するラインに沿って前記外層と前記内層を縫合した請求項２に記載のリストバンド。
【請求項４】
外周面における前記端部の孔の位置に対応する部分にパイルの色彩が他の領域と異なる位置指標を設けた請求項２又は請求項３に記載のリストバンド。
【請求項５】
前記合成樹脂シートの被着手段が、前記合成樹脂シートの周縁部を前記内周面に縫着したものである請求項１、請求項２、請求項３又は請求項４に記載のリストバンド。
【請求項６】
前記合成樹脂シートの被着手段が、前記内周面における前記合成樹脂シートの被着領域を片パイル織りによる非パイル面とし、前記合成樹脂シートの周縁部を前記非パイル面に縫着又は接着したものである請求項１、請求項２、請求項３又は請求項４に記載のリストバンド。
【請求項７】
外周面における前記合成樹脂シートの被着領域に対応する領域の縁部近傍に、温度の上下変化に伴い可逆的に色彩を変化させるサーモテープを貼着した請求項１、請求項２、請求項３、請求項４、請求項５又は請求項６に記載のリストバンド。
【請求項８】
前記外周面における前記サーモテープの貼着領域を片パイル織りによる非パイル面とした請求項７に記載のリストバンド。
【発明の詳細な説明】
【技術分野】
【０００１】
本発明は、冷却スプレーを用いた身体の冷却手段として、極めて簡便で有効なツールとなるリストバンドに関する。
【背景技術】
【０００２】
従来から、熱中症の手当や運動後の身体のクールダウンには氷嚢が使用されており、太い血管が近くを通っている脇の下や首や脚の付け根といった場所に氷嚢を当ててより効果的に身体を冷やすことが行われている。
また、運動後の身体の冷却に関しては、運動競技に応じて冷却すべき身体の部位が異なるために特殊な形態の氷嚢もある。
【０００３】
一方、前記氷嚢がゴム製又は防水布製の袋であって水や氷を入れて使用されるものであるのに対して、下記特許文献１−３においては更に工夫された身体冷却用ツールの提案がなされている。
特許文献１の「身体保温冷却用サポーター」は、柔軟性を有する帯状サポーターのほぼ中央部にファスナを開閉することで熱媒体（水とアルコールを担持した吸水性樹脂のゾル状物質を可撓性軟質樹脂袋に収納したもの）を出し入れできるポケットを設けておき、冷却した熱媒体をポケットに収納させて冷却すべき身体の部位に装着するものである。
【０００４】
特許文献２の「冷却用タオル」は、タオル地で構成された扁平状袋部の周縁の一部がファスナ等で開閉可能とされているタオル本体の前記扁平状袋部に、空気(冷気)のみを透過させ、水分及び湿気を通過させないフィルム製の扁平状冷却バックを収納させ、前記扁平状冷却バックの適合孔に挿着されたパイプを介して携帯型の冷却スプレーから高圧冷却ガスを注入することにより冷却タオルとするものである。そして、この冷却タオルによれば、冷却ガスにより扁平状に膨れた冷却バックから噴出する冷気によってタオル本体全体が冷却されるため、ゴルフプレーヤー等は必要に応じていつでもどこでもある程度の持続性をもって使用できるとされている。
【０００５】
特許文献３の「ＰＶＡスポンジ製高吸水布を利用した涼感小物」は、ポリビニルアルコール製のＰＶＡスポンジで製造したリストバンドやバンダナやネッカチーフや帽子のインナー等に係り、ＰＶＡスポンジの高い吸水・保水機能を利用して、保水状態にあるリストバンド等から水が蒸発する際に気化熱が奪われることにより、リストバンド等の装着者に涼感を与えるとされている。
【先行技術文献】
【特許文献】
【０００６】
【特許文献１】登録実用新案第３０６１５８１号公報
【特許文献２】特許第４１３４０６３号公報
【特許文献３】登録実用新案第３１４９０１０号公報
【発明の概要】
【発明が解決しようとする課題】
【０００７】
しかしながら、上記特許文献１−３の身体冷却用ツールには次のような問題点がある。
上記特許文献１の「身体保温冷却用サポーター」では、冷却した熱媒体をポケットに収納させるようになっているため、冷却を継続するには幾つもの冷却した熱媒体を用意しておかねばならず、また熱媒体の交換もサポーターを取外して入れ替える等の手作業が必要となり、使用上での簡便性に欠ける。
上記特許文献２の「冷却用タオル」については、冷気スプレーから高圧冷却ガスを注入すればタオル本体の冷却を継続させることが可能であるが、タオル本体は扁平状冷却バックから常時放出される冷気だけで冷却されるため、一回の冷却ガス注入による冷却持続時間は短いものと推察され、高圧冷却ガスの利用効率が悪い。また、冷えたタオルで顔や手足を拭う際に冷涼感を与えることに特徴があり、身体の冷却効果という点でみれば氷嚢には及ばない。
【０００８】
上記特許文献３の「ＰＶＡスポンジ製高吸水布を利用した涼感小物」は、ＰＶＡスポンジの高い吸水・保水機能と肌への密着性により、通常の布製リストバンド等を濡らした場合よりも効果的に冷涼感が得られるが、水分の気化効率はそれほど高くなく、装着部の皮膚の温度によって保水している水の温度が上昇すると冷涼感も消失する。
【０００９】
ところで、従来から手首を冷却すると全身のクールダウンに有効であるとされている。これは、手首の脈拍がとれる位置は血管が皮膚に近いため、手首を冷却すると冷却された血液が全身を循環することになり、結果的に全身を効果的に冷やすことができるからである。
その意味において、上記特許文献３の考案に含まれているリストバンドはその目的に適うものであるが、一時的に冷涼感を与える程度のツールとしては有効であっても、熱中症の手当や運動後の身体のクールダウンに必要となる長時間に亘る冷却の持続性はない。
【００１０】
熱中症は高温環境下で運動や作業を行っている場合に発症し易いが、最近では家屋内での日常生活においても発症する場合があると言われており、その予防手段として、常時簡便に着用できると共に身体を効果的且つ持続的に冷却し得るツールが求められている。
そこで、本発明は、冷却スプレーを利用して簡易に手首を効率的且つ持続的に冷却することができ、特に熱中症の予防や処置において極めて有効且つ有用であるリストバンドの構成を提供することを目的として創作された。
【課題を解決するための手段】
【００１１】
第１の発明は、一層の中空筒状のパイル織物、又は外層と内層の端部が連続した二層の中空筒状のパイル織物からなるリストバンドにおいて、内周面の周方向に関する半分領域の全部又は一部に、ＰＶＡ（polyvinyl alcohol）スポンジ、ＰＶＣ（polyvinyl chloride）スポンジ又はオレフィン系スポンジからなる合成樹脂シートを被着すると共に、前記合成樹脂シートの被着領域に対応する外周面の略中央領域にパイルの色彩が他の領域と異なる位置指標を設けたことを特徴とするリストバンドに係る。
【００１２】
このリストバンドは、内周面側に被着されている合成樹脂シートが手首の手のひら側に当着するようにして装着される。
この場合、周方向についての少なくとも半分領域以上は伸縮性のあるパイル織物で構成された弧状部分であるため、合成樹脂シートの内周面への被着が装着の妨げにはならない。また、合成樹脂シートは柔軟性を有したものであるため、手首の手のひら側に密着させることができる。
【００１３】
このリストバンドの身体冷却用ツールとしての利用に際しては、内周面側の合成樹脂シートの被着領域に対応する外周面部分に冷却スプレーで冷却ガスを吹き付ける。
ここに、一般的な冷却ガスの主成分は高圧ガス（ジメチルエーテル、ＬＰＧ又は窒素等）、エタノール、水及びメントールである。
冷却ガスは外周面側にあるパイル織物層に吹き付けられると、高圧ガスの成分であるＬＰＧ等は沸点が極めて低いため（例えば、ジメチルエーテルの沸点は−２５.１℃、ＬＰＧの一種であるプロパンの沸点は−４２.０９℃）、噴出されると瞬時に気化し、その気化熱によってガスの温度は−２０〜−４０℃程度まで急冷される。
一方、エタノール、水及びメントールは混合水溶液として存在しており、吹き付け時にはそのミストが高圧ガスと共に噴霧されるが、それら各成分の沸点は常温以上で遥かに高いことから瞬時には気化せず、またその混合水溶液の凝固点は前記急冷温度より低い温度になっているためほぼ溶液のミスト状態を保つ。
【００１４】
そのため、冷却された前記混合水溶液のミストが冷却ガスの吹き付け部付近のパイル織物層と合成樹脂シートに付着する。
ところで、タオル等にも利用されているパイル織物層が吸水・保水性を有していることは言うまでもないが、ＰＶＡスポンジ、ＰＶＣスポンジ又はオレフィン系スポンジからなる合成樹脂シートも極めて高い吸水・保水性を有しており、混合水溶液のミストはパイル織物層と合成樹脂シートに浸透してそれらを湿潤させた状態になる。
そして、それらの素材からなる合成樹脂シートは、親水性の連続多孔質体であって、外観上はソリッドなシートであっても空孔率が約７５〜９０％と極めて高く、またその空孔は立体的網目構造を成しており、個々の空孔が完全に連通している。
【００１５】
したがって、合成樹脂シートは、その材質が具有する親水性によって表面に直接付着した混合水溶液を直ちに内部の連続した孔内に吸収すると共に、保水容量に余裕があればパイル織物層を湿潤させている混合水溶液も吸収する。
また、更に冷却ガスを吹き付けが継続して、合成樹脂シートが保水限界に近付くと、パイル織物層がその保水容量分だけは吸水できるため、高圧ガスの噴霧・気化による低温状態下で多量の混合水溶液が合成樹脂シートとパイル織物層に吸水・保水される。
そして、この保水状態下において、合成樹脂シートの連続した孔内には混合水溶液が充満しているため、湿潤した合成樹脂シートの熱伝導性は極めて良好なものとなる。
なお、通常のリストバンドのようにパイル織物層だけであると、冷却ガスと前記混合水溶液のミストがその織物層を通過して手首の皮膚に直接当たって凍傷等を誘発させる可能性があるが、合成樹脂シートが介在していることによりそれを防止できる。
【００１６】
冷却ガスの吹き付け後においては、その吹き付け部付近のリストバンドの温度が前記急冷温度から上昇することになるが、パイル織物層と合成樹脂シートを湿潤させている前記混合水溶液の内のエタノールが揮発し、その揮発による気化熱が奪われることにより一定温度までは上昇しても低温状態は維持され、その結果、良好な熱伝導状態にある合成樹脂シートに密着している手首が持続的に冷却される。
ところで、合成樹脂シートの表面積よりパイル織物層の表面積の方が大きいため、パイル織物層を湿潤しているエタノールが多く揮発し、また合成樹脂シートの表面における多数の孔の露出部分からシート内部に水と共に保持されているエタノールが揮発してゆくことになるが、合成樹脂シートに浸透しているエタノールの揮発が進行して孔内に空気が侵入すると熱伝導性が低下し、その結果、手首に対する密着面側の温度が上昇する可能性がある。
しかし、その場合には、合成樹脂シートの高い吸水性によりパイル織物層を湿潤している混合水溶液が合成樹脂シート側の孔内へ補充され、合成樹脂シートの熱伝導性を低下させることなく初期の冷却状態が維持される。
【００１７】
ここで、(1)この発明のリストバンドのように合成樹脂シートが手首の手のひら側に当着している場合と(2)通常のリストバンドのように合成樹脂シートを用いずに単にパイル織物が当着している場合とを比較すると、(1)の場合の方が、肌への密着面積が大きいこと、前記混合水溶液の保水容量が大きいこと、湿潤状態にある合成樹脂シートの熱伝達率の方が空隙の多いパイル織物のそれよりも遥かに大きく且つ安定していることから、手首に対するより長時間に亘る安定した冷却が可能になる。
また、合成樹脂シートによる肌への密着性は、メントールによる身体側のTRPM8と称される受容体活性化チャネルに対する刺激を大きくし、より強い冷感を誘発させて冷却効果を向上させる。
【００１８】
ところで、本発明のリストバンドでは、時間の経過に伴ってエタノールが減少すると気化熱として奪われる熱量が減少し、必然的に徐々に冷却作用は低下してゆく。
しかし、再度冷却スプレーから冷却ガスを吹き付けると、パイル織物と合成樹脂シートに混合水溶液の浸透残留分があればそれらに追加して浸透することになり、初期状態に近い状態から再び手首の持続的冷却を開始できる。
【００１９】
また、前記では冷却スプレーの冷却ガスが水分を含んでいることを前提としているが、冷却スプレーによっては、水分を含んでいないか又は水分を含んでいても極めて少なく、エタノールとメントールのみを主成分としているような場合もある。
このような混合溶液の場合であっても、原理的にはパイル織物層と合成樹脂シートの吸水・保水性に基づく共働作用によって手首の持続的な冷却が得られることは同様である。
もっとも、水分を含んでいないか又は水分を含んでいても少ないような場合においては、予めリストバンドにおける内周面側の合成樹脂シートの被着領域に対応する外周面部分を水で湿らせておいて、冷却スプレーから冷却ガスを吹き付けるようにしてもよい。
【００２０】
第１の発明における合成樹脂シートの被着については次のような手段が採用できる。
(a) 前記合成樹脂シートの周縁部を前記内周面に縫着する。
(b) 前記内周面における前記合成樹脂シートの被着領域を片パイル織りによる非パイル面とし、前記合成樹脂シートの周縁部を前記非パイル面に縫着又は接着する。
【００２１】
(a)の手段よると、パイル織物を一様に織ることができるという利点があるが、合成樹脂シートの周縁部が縫着されると同シートの中央部分だけが膨出した態様になり、周縁近傍で手首へ当着せずに密着性が悪くなる。
一方、(b)の手段によれば、部分的に片パイル織り工程を介在させる必要があるものの、経糸と緯糸で平坦に構成された非パイル面に合成樹脂シートを縫着又は接着することが可能になり、パイル面と合成樹脂シートの表面からなる内周面を比較的平坦に構成でき、合成樹脂シートの手首への密着性も良好になる。
また、冷却ガスの吹き付けた際に前記混合水溶液のミストが合成樹脂シートへ届き易くなるという利点もある。
【００２２】
そして、第１の発明においては、前記合成樹脂シートの被着領域に対応する外周面の略中央領域にパイルの色彩が他の領域と異なる位置指標を設けてあるが、冷却スプレーから冷却ガスを吹き付ける際に、その吹き付けのための中心位置を位置指標によって容易に確認できる。
なお、このリストバンドにおける前記装着状態で手首の手の甲側に当着している部分は、通常のリストバンドと同様に汗を拭う部分として使用できることは言うまでもない。
【００２３】
第２の発明は、外層と内層の端部が連続した二層の中空筒状のパイル織物からなるリストバンドにおいて、内周面の周方向に関する半分領域の全部又は一部に、ＰＶＡスポンジ、ＰＶＣスポンジ又はオレフィン系スポンジからなる合成樹脂シートを被着すると共に、筒軸から見て前記合成樹脂シートの被着領域を見込む中心角の範囲内に含まれる前記端部の一部分に前記二層間へ通じる孔が形成されていることを特徴とするリストバンドに係る。
【００２４】
この発明は、外層と内層の端部が連続した二層の中空筒状のパイル織物からなるリストバンドである場合に、前記第１の発明のように外周面に冷却ガスを吹き付けるのではなく、前記端部に形成されている孔から二層間の合成樹脂シートに対応する部分に冷却ガスを吹き込むようにしたものである。
したがって、冷却スプレーにはロングノズルを用い、そのノズルの先端をリストバンドの端部の孔に差し込んで冷却ガスを噴出させることになる。
【００２５】
冷却ガスが吹き込まれると、瞬時に冷却ガスが二層間に充満するが、高圧ガスはパイル織物である外層を通じて放出され、冷却ガスと共に二層間に噴霧されたエタノールと水とメントールの混合水溶液のミストはその殆どがパイル織物と合成樹脂シートに浸透する。
その結果、冷却ガスの噴射時に前記混合水溶液をより多く二層間に封じ込めて合成樹脂シートとその被着領域付近のパイル織物に浸透させることが可能になり、第１の発明に係るリストバンドの場合よりも冷却ガスの消費量を抑制しながらより効率的な冷却を実現できる。
【００２６】
また、冷却機能は第１の発明のリストバンドと同様であるため、冷却作用が低下してきたときにその都度冷却ガスを孔に吹き込むことで冷却効果を継続させることができ、予めパイル織物に水分を湿潤させておいて一回の冷却ガスの吹き込みによる冷却持続時間を長くすることもできる。
【００２７】
そして、この第２の発明のリストバンドの場合には、筒軸から見て前記合成樹脂シートの被着領域を見込む中心角の範囲内に含まれているパイル織物部分と他のパイル織物部分とを区分するラインにおいて前記外層と前記内層を縫合しておけば、冷却ガスを縫合ラインの間、すなわち前記合成樹脂シートの被着領域に対応する二層間にのみ冷却ガスを集中的に吹き込むことができ、吹き込みの際に冷却成分が不要に他の隙間部分へ拡散しないようにできる。
また、外周面における前記端部の孔の位置に対応する部分に、パイルの色彩が他の領域と異なる位置指標を設けておくと、冷却スプレーの噴射ノズルを差し込む際に孔の形成位置を視覚的に示すことができる。
なお、この発明のリストバンドにおいても、合成樹脂シートの被着手段については、第１の発明と同様に前記(a)及び(b)の手段が採用できる。
【００２８】
その他、第１又は第２の発明のリストバンドにおいて、外周面における前記合成樹脂シートの被着領域に対応する領域の縁部近傍に、温度の上下変化に伴い可逆的に色彩を変化させるサーモテープを貼着しておけば、手首を冷却中の温度をサーモテープの色彩から確認でき、冷却ガスの再吹き付けのタイミングを容易に知ることができる。
その場合、前記サーモテープの貼着領域を片パイル織りによる非パイル面としておけば、貼着面が平坦となって温度センサーとしての感度を上げることができる。
【発明の効果】
【００２９】
本発明のリストバンドは、手首に装着した状態で冷却スプレーから冷却ガスをパイル織物層の外周面に吹き付け、又は二層のパイル織物の間に冷却ガスを吹き込むことにより使用され、パイル織物層とその内周面に被着させた高い吸水・保水性を有するＰＶＡスポンジ等の合成樹脂シートとの共働作用により、手首の血管を極めて効果的且つ持続的に冷却し、もって簡単な手段で身体全体を効率よく継続的にクールダウンさせる。特に、染み入るような冷感が安定的に長時間持続する傾向が顕著であり、熱中症の予防や処置に好適なツールを提供できる。
【図面の簡単な説明】
【００３０】
【図１】本発明の実施形態１に係るリストバンドの断面図（Ａ）と端面側から見た側面図（Ｂ）である。
【図２】リストバンドを手首に装着し、冷却スプレーから冷却ガスをリストバンドの所定領域へ吹き付けている状態を示す斜視図である。
【図３】リストバンドのパイル織物部と合成樹脂シートの断面部分（図１（Ａ）のＥで示す部分）の模式的拡大図である。
【図４】実施形態２に係るリストバンドの断面図（Ａ）と端面側から見た側面図（Ｂ）である。
【図５】リストバンドのパイル織物部と合成樹脂シートの断面部分（図４（Ａ）のＦで示す部分）の模式的拡大図である。
【図６】実施形態３に係るリストバンドの断面図（Ａ）と端面側から見た側面図（Ｂ）である。
【図７】リストバンドを手首に装着し、冷却スプレーのロングノズルからリストバンドの端面の孔を通じて二層の隙間へ冷却ガスを吹き込ませている状態を示す斜視図である。
【図８】実施形態３の変形例に係るリストバンドの断面図（Ａ）と端面側から見た側面図（Ｂ）と平面図（Ｃ）である。
【図９】実施形態４のリストバンドを手首に装着した状態を示す斜視図である。
【図１０】実施形態１のリストバンドを用いた身体クールダウン実験において、リストバンドへの冷却ガス吹き付け前の被験者の体表温度をサーモグラフィーカメラで撮影した写真である。
【図１１】実施形態１のリストバンドを用いた身体クールダウン実験において、リストバンドへの冷却ガス吹き付けから１分後の被験者の体表温度をサーモグラフィーカメラで撮影した写真である。
【図１２】実施形態１のリストバンドを用いた身体クールダウン実験において、リストバンドへの冷却ガス吹き付けから３分後の被験者の体表温度をサーモグラフィーカメラで撮影した写真である。
【図１３】実施形態１のリストバンドを用いた身体クールダウン実験において、リストバンドへの冷却ガス吹き付けから５分後の被験者の体表温度をサーモグラフィーカメラで撮影した写真である。
【図１４】実施形態１のリストバンドを用いた身体クールダウン実験において、リストバンドへの冷却ガス吹き付けから１０分後の被験者の体表温度をサーモグラフィーカメラで撮影した写真である。
【図１５】実施形態１のリストバンドを用いた身体クールダウン実験において、リストバンドへの冷却ガス吹き付けから２０分後の被験者の体表温度をサーモグラフィーカメラで撮影した写真である。
【発明を実施するための形態】
【００３１】
以下、本発明のリストバンドの実施形態について、図面を参照しながら具体的に説明する。
＜実施形態１＞
この実施形態のリストバンドは図１に示され、同図の（Ａ）は中空円筒状のリストバンドをその中心軸を通過する面で切断した断面図、（Ｂ）は端面側から見た側面図であり、（Ａ）は（Ｂ）におけるＸ-Ｘ矢視断面に相当する。
各図において、リストバンド1は、外層10と内層11の端部が連続した二層の中空筒状のパイル織物部12が主体をなしているが、内層11側の内周面に対して方形状の合成樹脂シート13がその周縁部を内層11に縫着させてある点に特徴がある。
【００３２】
そして、リストバンド1のパイル織物部12については、スポーツ競技で用いられているリストバンドをそのまま利用でき、綿製のパイル織物素材であることから高い吸水・保水性を備えている。
一方、合成樹脂シート13の素材としては、一般的にハードディスクや半導体ウェハの洗浄等に広く利用されており、上記特許文献３の発明においてもリストバンドの素材として用いられているＰＶＡスポンジが用いられている。
ここに、ＰＶＡスポンジは、もともとＰＶＡ（polyvinyl alcohol）自体が高い親水性を有していると共に、微細空孔の連通した立体的網目構造からなるものえあり、その微細空孔による毛細管現象に基づいて極めて高い吸水・保水性を具備している。
【００３３】
合成樹脂シート13の平面サイズについては、内周面における周方向についての半分領域の全部（図１（Ｂ）でθ＝１８０°の場合）をカバーするような大きいものであってもよいが、機能的には手首の手のひら側における脈拍がとれる部分をカバーできていればよく、実際には３〜４cm平方程度のサイズがあれば足りる。
また、合成樹脂シート13は柔軟性を有しているが伸縮性には欠けるため、あまり大きい平面サイズのものを用いると手首に装着する際に不便であることや、手首をあまり広い面積で冷却し過ぎると指の感覚に影響を及ぼす傾向がみられることを考慮すると、適当なサイズに制限しておいた方がよい。
【００３４】
以上のリストバンド1は、図２に示すように、脈拍がとれる位置を合成樹脂シート13が覆う態様で手首14に装着される。
そして、そのままの状態でもリストバンドとしての通常の使用が可能であるが、身体冷却用ツールとして使用する場合には、合成樹脂シート13の被着領域に対応する外周面の部分に冷却スプレー15で冷却ガス16を吹き付ける。
なお、この実施形態のリストバンド1では、合成樹脂シート13の被着領域に対応する外周面の略中央領域にパイルの色彩を他の領域と異ならしめた同心円が位置指標17として描かれており、冷却ガス16を吹き付けに際してはその同心円を目安にすればよい。
【００３５】
冷却ガス16の吹き付けがあると、高圧ガス（ＬＰＧ、ジメチルエーテル又は窒素等）と共にエタノール、水及びメントール等の混合水溶液のミストがパイル織物部12に向かって噴射され、高圧ガス成分の気化によってガスの温度が−３０〜−４０℃程度の低温に急冷されるが、混合水溶液の氷結温度は前記急冷温度以下であるため、混合水溶液のミストは外層10・内層11のパイル織物と合成樹脂シートに付着して浸透する。
なお、本実施形態のリストバンド1では内周面側に合成樹脂シート13が被着されていることにより、高圧ガス成分の気化による急冷化と混合水溶液のミストの吹き付けは手首の肌へ直接的に及ぶことがなく、凍傷等の発生を防止できる。
【００３６】
図３は図１（Ａ）においてＥで示す断面部分の模式的拡大図である。
高圧ガスの気化によって冷却された混合水溶液のミストはパイル織物部12の外層10の表面に吹き付けられるが、噴射力が強いために外層10・内層11の各パイル18,19や地糸（地経糸と地緯糸）20,21を湿潤させると共に、それらを通過して合成樹脂シート13の表面にも達する。
すると、高い吸水性を有している合成樹脂シート13は、付着した混合水溶液は直ちに内部の微細空孔に吸収して湿潤状態となり、微細空孔が満たされていない状態ではパイル織物部12側が吸水・保水している混合水溶液も吸水する。
したがって、冷却ガスを十分に吹き付けると、合成樹脂シート13側はその許容範囲で混合水溶液を保水し、その余の混合水溶液がパイル織物部12によって保水され、その低温・湿潤状態を初期状態として手首が冷却されることになる。
【００３７】
そして、その初期状態から、混合水溶液の内、揮発性の高いエタノールが気化熱を奪いながら気化してゆくため、パイル織物部12と合成樹脂シート13の低温状態が持続する。
このとき、パイル織物部12と合成樹脂シート13のいずれからもエタノールが気化するが、合成樹脂シート13は混合水溶液を微細空孔に充満させた湿潤状態にあるため、その熱伝導性はほぼ水とほぼ同等の良好な状態に保たれる。
また、合成樹脂シート13で保水されている混合水溶液からエタノールが気化して合成樹脂シート13の内部に多数の微小気泡が混入すると熱伝導性の低下を招くことになるが、パイル織物部12には気化（蒸発）しにくい水分が残留しており、合成樹脂シート13はその高い吸水性により気化したエタノール分をパイル織物部12側の水分を吸水することで補充する。
すなわち、パイル織物部12と合成樹脂シート13の共働作用によって、合成樹脂シート13の熱伝導性を良好に保ちながら、パイル織物部12と合成樹脂シート13からエタノールが気化して気化熱を奪うことにより、合成樹脂シート13を介して手首14を深く持続的に冷却する。
なお、混合水溶液中のメントールは熱量の移動には関与しないが、手首14の肌に触れることにより、リストバンド1の装着者に生理作用を誘発してより冷感を生じさせる。
【００３８】
その結果、実際に装着者が手首に感じる冷感は、冷却スプレー15から冷却ガス16が吹き付けられた後、遅効的に冷感が除々に強くなってゆく傾向を呈しながら染み入るような深い冷感が安定的に持続するようになり、更に時間が経過すると感覚的な冷感は薄れてゆく傾向になるが（冷感に慣れてその感触が鈍くなるものと推察される）、長時間に亘って手首に対する冷却作用は持続しており身体全体がクールダウンされてゆく。
【００３９】
この実施形態に係るリストバンド1を身体クールダウンツールとして用いる場合における実験として、気温２８℃・湿度６０％の環境下において成人男性にリストバンド1を左手首に装着させ、冷却スプレーから冷却ガスをリストバンド1の合成樹脂シート13の被着領域に対応する外周面に約５〜６秒間だけ吹き付けて冷却した場合について、冷却ガスの吹き付け前の体表温度と吹き付けの後の体表温度の経時的変化をサーモグラフィーカメラ（株式会社ＮＤＴアドヴァンス製：TI160）で撮影した。
ただし、パイル織物部12は綿製でサイズは約６０mm（縦）×約６.４mm（内径）、合成樹脂シート13は３５mm（縦）×３５mm（横）×１.５mm（厚さ）のＰＶＡスポンジ（空孔率：９０％，平均空孔径：１５０μm，保水率：１１００％）であり、冷却スプレーの主成分はジメチルエーテル:８０〜９０重量％、エタノール:７〜１５重量％、水:０.５〜５重量％、メントール:１重量％未満である。
【００４０】
前記実験の結果として、リストバンド1を装着した被験者のリストバンド1に対する冷却ガス吹き付け前の体表温度をサーモグラフィーカメラで撮影した写真は図１０であり、冷却ガス吹き付けから１分後の写真は図１１に、３分後の写真は図１２に、５分後の写真は図１３に、１０分後の写真は図１４に、２０分後の写真は図１５にそれぞれ示される。
この結果から明らかなように、本実施形態に係るリストバンド1を適用した場合には、冷却スプレーから冷却ガスを約５〜６秒間吹き付けただけで２０分以上にも亘って持続的に身体がクールダウンされている。
また、このリストバンド1を用いた場合の特徴的現象として、手首を冷却しても手や指は冷えていないというが観察された。
なお、実験結果を図示していないが、左右の手首にリストバンド1を装着して、それぞれ同時に前記条件での冷却ガスの吹き付けた後、体表温度の経時的変化をサーモグラフィーカメラで撮影する実験を行ったところ、意外であるが、左手首だけの前記実験の方が良好なクールダウン状態が得られた。
【００４１】
ところで、時間が経過すると合成樹脂シート13とパイル織物部12を湿潤させている混合水溶液のエタノールが減少し、その揮発による気化熱量が小さくなるために温度が上昇してゆく。
その場合、再度冷却スプレー15で冷却ガス16を合成樹脂シート13の被着領域に対応する外周面に吹き付ければ、当初の冷却温度まで戻すことができ、前記と同様に手首での深い冷感を更に安定的に長く持続させることができる。
したがって、手首での冷感が弱くなったと感じられる度に冷却ガス16をリストバンド1の位置指標17へ向けて吹き付けるようにすれば、長時間に亘って身体のクールダウンを容易に行える。
【００４２】
なお、エタノールが減少した混合水溶液では氷結温度が上昇するため、二度目以降の冷却ガス16の吹き付けでは、予めパイル織物部12と合成樹脂シート13に浸透している混合水溶液が高圧ガスによる急冷によって氷結する場合もある。
そのように合成樹脂シート13とパイル織物部12を湿潤させている混合水溶液が氷結すると、その融解熱も手首の冷却に寄与するため、一回の冷却ガス16の吹き付けによる冷却時間はより長くなる。
また、同様の観点から、予め合成樹脂シート13とパイル織物部12を水で適度に湿潤させておけば、当初から一回の冷却ガス16の吹き付けによる冷却時間をより長くできることになる。
このようにリストバンド1を予め水分で湿潤させておく方法は、冷却スプレー15の冷却ガス16に水分が含まれていないか、又は含まれていても少ないような場合にも有効である。
【００４３】
＜実施形態２＞
この実施形態のリストバンドは図４に示され、同図の（Ａ）は中空円筒状のリストバンドをその中心軸を通過する面で切断した断面図、（Ｂ）は端面側から見た側面図であり、（Ａ）は（Ｂ）におけるＸ-Ｘ矢視断面に相当する。
図４と図１とを比較すれば明らかなように、このリストバンド2は外層30と内層31の端部が連続した二層の中空筒状のパイル織物部32と、内層31側の内周面に対して周縁部を縫着させた方形状の合成樹脂シート33とからなることは実施形態１のリストバンド1と同様である。
【００４４】
この実施形態のリストバンド2の特徴は、実施形態１（図１）では合成樹脂シート13の周縁部をパイル織物部12の内層11に縫着させているのに対して、図４及び同図のＦで示す部分の模式的拡大図である図５で示されるように、内層31における合成樹脂シート33の被着領域に相当する領域を片パイル織りによる非パイル面34とし、合成樹脂シート33の周縁部をその非パイル面34に縫着させた点にある。
【００４５】
この特徴により、実施形態１（図１）では内層11の内周面側のパイルを覆う態様で合成樹脂シート13が縫着されているため、合成樹脂シート13が内層11のパイル面に対して段差を構成しているのに対して、この実施形態ではパイルがなく地糸（経糸と緯糸）でほぼ平坦に構成されている非パイル面34に合成樹脂シート33を嵌め込んで被着させており、前記のような段差が生じておらず、リストバンド2の内周面が手首14の表面に良好にフィットすると共に意匠上も優れたものとなる。
また、非パイル面34は平坦な面になるため、合成樹脂シート13の周縁部を非パイル面34に接着して被着させることも可能であり、その場合には縫着工程が省け、より容易な作業である接着工程になるため、リストバンド2の製造工程の簡素化と製造コストの低減化が図れる。
【００４６】
ところで、この実施形態のリストバンド2では、内層31側の非パイル面34となっている部分では片パイルのパイル織物になっており、図５から明らかなように、合成樹脂シート33の被着領域での内層31における冷却ガス16の混合水溶液の湿潤容量が少なくなる。
しかしながら、リストバンド2におけるパイル織物部32のパイル密度は比較的高く、またＰＶＡスポンジである合成樹脂シート31は大きな保水率を有しているため、全体として身体のクールダウン効果が十分に現れるまでの冷却時間を確保できる程度の保水容量は得られており、その点についてはあまり問題とならない。
むしろ、平坦化された非パイル面34に対して合成樹脂シート33が密着していることにより、合成樹脂シート33からパイル織物部32への熱伝導性が良くなると共に、合成樹脂シート33のエタノールの気化が進行した状態におけるパイル織物部32から合成樹脂シート33への水分の移行が円滑になされ、合成樹脂シート33自体の熱伝導性も良好に保てるという利点がある。
【００４７】
このように、この実施形態のリストバンド2は実施形態１のリストバンド1と比較して各種の利点を有するが、冷却スプレー16を用いた手首14の冷却メカニズムとその作用・効果については実施形態１のリストバンド1と同様であり、手首14の熱をより効率的且つ安定的に吸収して放出できる。
＜実施形態３＞
【００４８】
この実施形態のリストバンドは図６に示され、同図の（Ａ）は中空円筒状のリストバンドをその中心軸を通過する面で切断した断面図、（Ｂ）は端面側から見た側面図であり、（Ａ）は（Ｂ）におけるＸ-Ｘ矢視断面に相当する。
図６と図４とを比較すれば明らかなように、このリストバンド3が、外層40と内層41の端部が連続した二層の中空筒状のパイル織物部42と、内層41側の内周面に対して周縁部を縫着させた方形状の合成樹脂シート43とからなると共に、内層41における合成樹脂シート43の被着領域に相当する領域を非パイル面34として、合成樹脂シート43の周縁部をその非パイル面44に縫着してあることは、実施形態２のリストバンド2と同様である。
【００４９】
この実施形態のリストバンド3の特徴は、そのパイル織物部42の筒軸から見て合成樹脂シート43の被着領域を見込む中心角θの範囲内に含まれる端部45の一部分に、外層40と内層41の隙間46に通じる孔47が形成されている点にある。
すなわち、パイル織物部42は外層40と内層41の端部が連続した二層構成になっているが、前記端部45の一部分だけを不連続に織って孔47を形成し、またその孔47の縁部にはかがり縫いが施されている。
【００５０】
そして、この実施形態のリストバンド3は、図７に示すように、手首14に装着した状態で冷却スプレー48に取り付けたロングノズル48aの先端部を孔47へ挿入し、冷却ガスを外層40と内層41の隙間46（図６を参照）に吹き込む方法で利用される。
この場合、高圧ガスの吹き込みによって隙間46が一瞬高圧になって外層40が膨出するが、高圧ガスは直ちに外層40を通過して外部へ放出され、同時に吹き込まれている混合水溶液のミストが隙間46から外層40と内層41のパイル織物及び合成樹脂シート43に浸透する。
ただし、その混合水溶液は隙間46における冷却ガスの吹き込み領域からあまり周方向へは拡散せず、合成樹脂シート43の被着領域より少し広く拡がる程度であり、ほぼその範囲で外層40と内層41のパイル織物に浸透した状態となる。
【００５１】
したがって、冷却ガスの吹き込みによるパイル織物部42と合成樹脂シート43に対する混合水溶液の浸透・湿潤状態は実施形態１，２の場合と殆んど差異がなく、手首の冷却について同等の作用・効果が得られる。
これは、冷却ガスの再吹き付けを行う場合についても同様であり、この実施形態のリストバンド3においても、手首での冷感が弱くなったと感じられる度に再吹き込みを行って冷却状態を長時間持続させることができる。
また、予めパイル織物部42を水で湿潤させておいて冷却ガスを孔47に吹き込んだ場合についても、実施形態１，２の場合と殆んど同様の冷却効果が得られる。
【００５２】
この実施形態のリストバンド3によれば、外層40と内層41の隙間46に冷却ガスを吹き込んでいることにより、冷却ガスの逸散による無駄を少なくすることができ、より有効に冷却ガスを利用できるという利点がある。
なお、この実施形態のリストバンド3では、冷却ガスの吹き込み用の孔47が端部45の一部分に形成されているためにその位置が分かり難い場合があるが、外層40の外周面における孔47の位置の近傍にパイルの色彩が他の領域と異なる位置指標49を設けておけば、冷却スプレー48のロングノズル48aを孔47へ差し込む際の目安となって便利である。
【００５３】
ところで、前記のように冷却ガス中の混合水溶液は吹き込み領域からあまり周方向へは拡散しないが、高圧ガスの瞬間的拡散の度合いによっては合成樹脂シート43の被着領域の外側へ拡がる量が多くなる。
これは、手首14の脈拍がとれる部分を中心に合成樹脂シート43を介して冷却しようとするリストバンド3の機能からみれば、混合水溶液が無駄になっていることになり、また内層41に浸透した混合水溶液が直接皮膚に触れると凍傷やかぶれの原因になることもある。
【００５４】
この問題については、図８に示すように、中空円筒状のパイル織物部42の筒軸から見て合成樹脂シート43の被着領域を見込む中心角θの範囲内に含まれているパイル織物部分と他のパイル織物部分とを区分するラインS-S,W-Wにおいて外層40と内層41を縫合しておくと、前記中心角θの範囲内のパイル織物部分の外層40と内層41の隙間46aにのみ冷却ガスの吹き込みがなされて他の部分の隙間46bへは拡がらない。
したがって、同図のリストバン3aの構成によれば、冷却ガスの無駄をなくしてより有効な利用を実現すると共に、手首14の皮膚への悪影響も防止できる。
【００５５】
＜実施形態４＞
この実施形態は、以上の実施形態に係るリストバンド1,2,3,3aの全てに適用できるものであり、図９に示すように、パイル織物部12,32,42の外周面における合成樹脂シート13,33,43の被着領域に対応する領域の縁部近傍にサーモテープ55を貼着したことに特徴がある。
このサーモテープ55は温度の上下変化に伴って可逆的に色彩を変化させるものであり、パイル織物部12,32,42の凡その温度を色彩から知ることができる。
したがって、サーモテープ55の色彩の変化によってパイル織物部12,32,42のある程度の温度上昇が確認できた時点で、冷却スプレー15,48で冷却ガスの再吹き付け（実施形態３では再吹き込み）を行うようにすれば、リストバンド1,2,3,3aによる手首14の冷却を一定の温度変化の範囲内で持続的に行うことが可能になる。
【００５６】
なお、図９ではサーモテープ55の貼着位置が合成樹脂シート13,33,43の被着領域に対応する領域の外側近傍になっているが、内側近傍であってもよい。
また、サーモテープ55の貼着領域をパイル織物部12,32,42の外周面に形成した非パイル面で構成すれば、温度変化をより鋭敏に色彩変化に反映させることができ、サーモテープ55の剥離も防止できるという利点がある。
【産業上の利用可能性】
【００５７】
本発明は、スポーツ競技者等が手首に着用する装身具であるリストバンドに適用され、市販の冷却スプレーと相俟って身体の簡便なクールダウンツールとして利用される。
【符号の説明】
【００５８】
1,2,3,3a…リストバンド、10,30,40…外層、11,31,41…内層、12,32,42…パイル織物部、13,33,43…合成樹脂シート、14…手首、15,48…冷却スプレー、16…冷却ガス、17,49…位置指標、18,19…パイル、20,21…地糸、34,44…非パイル面、45…端部、46,46a,46b…隙間、47…孔、48a…ロングノズル、55…サーモテープ。
【図１】
0005972299.tif 000002
【図２】
0005972299.tif 000003
【図３】
0005972299.tif 000004
【図４】
0005972299.tif 000005
【図５】
0005972299.tif 000006
【図６】
0005972299.tif 000007
【図７】
0005972299.tif 000008
【図８】
0005972299.tif 000009
【図９】
0005972299.tif 000010
【図１０】
0005972299.tif 000011
【図１１】
0005972299.tif 000012
【図１２】
0005972299.tif 000013
【図１３】
0005972299.tif 000014
【図１４】
0005972299.tif 000015
【図１５】
0005972299.tif 000016